(57)【要約】      （修正有）【課題】各種商品を収納して販売する容器であり、商品を購入した後に貯金箱やその他の収納容器として再利用できる物品容器を提供する。【解決手段】本物品容器は、底を有した第一筒状部３からなる容器本体２と、第二筒状部５の上部にジュース缶をイメージした開封タブ模作６と貯金箱用のコイン投入口７からなる蓋部４を設けてなり、別体で構成された容器本体と蓋部は、前記第一筒状部と前記第二筒状部内部で、断面形状で互いに凸、凹状の勘合部８で連結されてなる。【選択図】図１
0003175017.tif 000002
【実用新案登録請求の範囲】
【請求項１】
底を有した第一筒状部分からなる容器本体と、第二筒状部分の上部にジュース缶をイメージした開封タブ模作と貯金箱用のコイン投入口からなる蓋部を設けてなるものであって、前記容器本体と蓋部は、別体で構成し、前記第一筒状部と前記第二筒状部内部で、断面形状互い凸状の勘合部と凹状の勘合部で連結する構成としてなることを特徴とする収納容器。
【請求項２】
前記収納容器には、周囲にツバを有した前記凸状の勘合部の内側に載置されるツバ部を有し、断面形状Ｕ字上の内蓋を設けてなることを特徴とする前記請求項１記載の収納容器。
【請求項３】
前記第一筒状部と前記第二筒状部内部で勘合する凸状の勘合部、凹状の勘合部には、互いに噛み合うネジ溝を設けてなることを特徴とする前記請求項１又は２記載の収納容器。
【考案の詳細な説明】
【技術分野】
【０００１】  本考案は、エコバック等の日用品、小物や衣類その他各種商品を収納して販売する容器であり、この容器に入れた商品を購入した消費者が、この容器を再度貯金箱やその他の利用目的で再利用できる物品容器に関する。
【背景技術】
【０００２】  従来商品販売にあたり、内箱、外包装など過剰包装と言われ、近年環境問題の観点から、買い物の際には、できるだけ簡略化しようとする傾向にある。一方、物品の収納に際して、容器の再利用もいたるところで検討され、各種提案が紹介されている。【０００３】  例えば、特開２０００−８３７１７号公報（特許文献１）や実開平５−７２２２０号公報（特許文献２）などに紹介されるような空き缶を貯金箱に再利用するための部品の発明が知られている。これら空き缶に関しての再利用は、「もったいない」というキーワードが世界的に広がり、消費者の意識の変化が現れている。【０００４】  一方、缶詰の消費量は、多量であり、空き缶は大量に存在し、いつでも貯金箱にすることができるということから、実際には、貯金箱やその他の容器として再利用しているということにはならない。【０００５】  缶詰は、収納物が通常液体も含まれ、前記特許文献１の場合は、缶の蓋を完全に切り取り、よく缶内部を洗浄しなくてはならなかった。また、前記特許文献１にしても特許文献２にしても缶詰とは別に貯金箱用に使用するための蓋を購入しなくてはならず手間を要していた。【０００６】  また、消費者は、そのまま貯金箱にしたり小物入れにしたりする容易性、あるいはデザイン性を欲していたりするものであり、物品容器が欲しくて商品を購入する消費者心理も有している。
【先行技術文献】
【０００７】
【特許文献１】特開２０００−８３７１７号公報
【特許文献２】実開平５−７２２２０号公報
【考案の概要】
【考案が解決しようとする課題】
【０００８】  上述するように、物品を収納する容器としては、エコバック等の日用品、小物や衣類その他各種商品を収納して販売する容器が多数あるが、商品を購入した消費者は、そのまま貯金箱やその他の収納容器として再利用でき、デザイン性にも優れたものが、求められていることから、本考案はその両面が満たされた物品容器を目的としている。
【課題を解決するための手段】
【０００９】  本考案における貯金箱などとして再利用できる物品容器は、底を有した第一筒状部からなる容器本体と、第二筒状部の上部にジュース缶をイメージした開封タブ模作とその貯金箱用のコイン投入口からなる蓋部を設けてなるものであって、容器本体と蓋部は、別体で構成し、第一筒状部と第二筒状部内部で、断面形状が互いに凸状の勘合部と凹状の勘合部で連結する構成としてなる。【００１０】  さらに他の実施例として物品容器には、前記凸状の勘合部の内側に載置されるツバ部分を周囲に有し、断面形状Ｕ字状の内蓋を設けてなる。【００１１】  また理想的には、第一筒状部と第二筒状部内部で勘合する凸、凹状の勘合部分には、互いに噛み合うネジ溝を設けてなることを特徴としている。
【考案の効果】
【００１２】    本考案の物品容器は、ジュース缶を模作し、エコバック等の日用品、小物や衣類その他各種商品を収納して販売する容器でありながら、商品を購入した消費者がそのまま貯金箱や灰皿、その他各種の小物いれなどの物品容器として再利用でき、商品販売の意外性を醸し出し、また容器自体がインテリアの一部として長期に利用される。
【図面の簡単な説明】
【００１３】
【図１】  本考案の一実施例を示す物品容器の蓋部を開けた状態説明図。
【図２】  本考案の一実施例を示す物品容器の断面説明図。
【図３】  本考案の一実施例を物品容器の蓋部を閉じた状態説明図。
【図４】  本考案における物品容器に内蓋を設けた実施例を示す説明図。
【図５】  本考案における物品容器に内蓋を容器本体に収納した実施例を示す説明図。
【図６】  本考案における物品容器に内蓋を設け、容器内部の体積を大きくして物品を収納する際の実施例を示す説明図。
【図７】  本考案の第二実施例を示す物品容器の蓋部を開けた状態説明図。
【図８】  本考案の第二実施例を示す物品容器の蓋部を閉じた状態の側面説明図。
【００１４】  以下の実施例により本考案を詳細について説明する。
【実施例】
【００１５】  本考案の実施形態を図面に基づいて説明する。
図１は、本考案の一実施例を示す物品容器の蓋部を開けた状態説明図であって、底を有した第一筒状部３からなる容器本体２と、第二筒状部５の上部にジュース缶をイメージした（実際には開かない）開封タブ模作６とその貯金箱用のコイン投入口７からなる蓋部分４を設けてなるものであって、容器本体２と蓋部４は、別体で構成し、第一筒状部３と第二筒状部５で、断面形状が互いに凸状の勘合部８、凹状の勘合部９（図２参照）で連結する構成としてなる。【００１６】  材質としては、樹脂で構成され、第一筒状部分３と第二筒状部５は、３〜５ｍｍ程度の厚みを有している。蓋部４の上面は、第一筒状部３と第二筒状部５ほど厚めにしなくても良い。特にコイン投入口７は、エコバック等の日用品、小物や衣類その他各種商品の販売時に商品を収納する際、実際に穴が開いてなくても良く、極めて薄めに構成しておき、消費者がこの物品容器１を購入した後、カッターなどで切り開くようにしても良い。【００１７】  本考案の物品容器１は、図３に示されるように、ジュース缶をイメージした容器であって、内容物が異なる意外性を有するものとなる。さらに消費者がこの商品を購入した後、再度この物品容器１を前記コイン投入部７を利用した貯金箱としても再利用できる。【００１８】  さらに、他の実施例として物品容器には、図４に示すように内蓋１１を組み合わせて使用する物品容器であっても良く、この内蓋１１は、周囲に、前記凸状の勘合部８の内側に載置されるツバ部分１２を有して、断面形状Ｕ字状に構成されている。【００１９】  この内蓋１１を組み合わせ、図５に示すように容器本体２の容器内部１０にセットすることにより、内蓋１１に指輪や、イヤリング、下部の容器本体２のなかには、ネックレスなどを入れる小物入れとして使用することもできる。【００２０】  あるいは、この内蓋１１により、灰皿代わりとしても良く、灰が一杯になったら、下部の容器本体２に入れて使う携帯灰皿としても良く、利用目的によって、多目的に使用できる。【００２１】  この内蓋１１を組み合わせた場合は、エコバック等の日用品、小物や衣類その他各種商品を収納して販売する際は、図６に示すように、ツバ部分１２を下にして底を上にして内蓋１１を収納することで、商品収納スペースを大きくすればよい。尚、図５に示すように内蓋１１を容器本体２にセットしたり、図６に示すように、物品を収納して内蓋１１をツバ部分１２を下にして蓋部４を閉じる際は、凸状勘合部８の長さをツバ部分１２の厚み分低く設定することが重要である。これにより、図３に示すように物品容器における蓋部が４が容器本体２にしっかり密着して閉じられる。【００２２】  また、実施例として、第一筒状部分と第二筒状部分内部で勘合する凸、凹状の勘合部分には、図示してないが互いに噛み合うネジ溝を設けて、容器本体２と蓋部４を一体固着してもよい。【００２３】  さらに物品容器の断面説明図として図２に示すように本実施例では、下部に位置する容器本体２の第一筒状部分３に凸状の勘合部８、上部に位置する蓋部４の第二筒状部５に凹状の勘合部９を設けて連結するようにしているが、前記実施例とは逆に、前記勘合部８を凹状に、前記勘合部９を凸状にしても何ら差し支えない。【００２４��  図７、図８は本考案における第二実施例であって、図７は、物品容器２１の蓋部を開けた状態説明図である。物品容器２１は、底を有した第一筒状部２３からなる容器本体２２と、第二筒状部２５の上部にジュース缶をイメージした（実際には開かない）開封タブ模作２６とその貯金箱用のコイン投入口２７からなる蓋部分２４を設けてなるものであって、容器本体２２と蓋部２４は、別体で構成し、第一筒状部２３と第二筒状部２５で、断面形状が互いに凸状の勘合部２９、凹状の勘合部２８で連結する構成としてなり、この第二実施例では、第二筒上部２５が凸状勘合部２９となり、容器本体２２の内側となる凹状の勘合部２８に入り込み物品容器２１の蓋部２４を閉じた状態になる。蓋部２４の肩部４１の最大軽が、第二筒丈部２５の軽より大きく設計され、蓋部２４のストッパ４２となり、蓋部２４は、容器本体２２をしっかり閉じることができる。【００２５】  以上のように本考案の物品容器１は、エコバック等の日用品、小物や衣類その他各種商品を収納して販売する際、意外性をもって商品を販売でき、さらに商品購入後も容易に貯金箱やその他小物いれや灰皿各種の物品容器として再利用でき、さらに、デザイン性にも優れ、長期間使用される物品容器を提供できる。
【符号の説明】
【００２６】  １、２１・・・物品容器
２、２２・・・容器本体
３、２３・・・第一筒状部
４、２４・・・蓋部
５、２５・・・第二筒状部
６、２６・・・開封タブ模作
７、２７・・・コイン投入口
８、２９・・・凸状勘合部
９、２８・・・凹状勘合部
１０、３０・・・容器内部
１１・・・内蓋
【図１】
0003175017.tif 000003
【図２】
0003175017.tif 000004
【図３】
0003175017.tif 000005
【図４】
0003175017.tif 000006
【図５】
0003175017.tif 000007
【図６】
0003175017.tif 000008
【図７】
0003175017.tif 000009
【図８】
0003175017.tif 000010